(57)【要約】      （修正有）【課題】乾湿に分離され、液体に防腐剤が少なく含有しないこともでき、安全で、体積が小さく、携帯に便利で、使い方も簡単なマジックシートパックの使用装置を提供する。【解決手段】マジックシートパックの使用装置は、台座１に、底部が頂部より小さい環形の内凹溝４及び外凹溝３がそれぞれ設けられ、内凹溝は、周りがゴムにより薄く射出され、上下に移動可能に設けられ、外凹溝に係合口が内設され、環形液体収容リング２の外壁の底部には、台座の外凹溝の係合口に完全に係合可能の係合部が設けられ、環形液体収容リングの内壁底部が台座の内凹溝に完全に係合され、両者の結合により、外輪容器８及び内輪容器７が形成される。外輪容器は、シートパックに必要な液体を放置することに用いられ、内輪容器は、圧縮シートパックを放置することに用いられ、且つ切り取り線付きステッカーにより圧縮シートパックを内輪容器の中に封止する。【選択図】図１
0003221104.tif 000002
【実用新案登録請求の範囲】
【請求項１】
台座（１）と環形液体収容リング（２）とを含むマジックシートパックの使用装置であって、
前記台座（１）に、底部が頂部より小さい環形の内凹溝（４）及び外凹溝（３）がそれぞれ設けられ、
前記内凹溝（４）は、その周りがゴムにより薄く射出されてなり、上下に移動可能に配置され、
前記外凹溝（３）に係合口（５）が内設され、
前記環形液体収容リング（２）の外壁の底部に、前記台座（１）の外凹溝（３）における係合口（５）に完全に係合可能の係合部（６）が設けられ、
前記環形液体収容リング（２）の内壁底部が前記台座（１）における前記内凹溝（４）に完全に係合され、両者の結合により、外輪容器（８）及び内輪容器（７）が形成されることを特徴とするマジックシートパックの使用装置。
【請求項２】
前記外輪容器（８）は、シートパックに必要な液体を放置するように配置されていることを特徴とする請求項１に記載のマジックシートパックの使用装置。
【請求項３】
前記内輪容器（７）は、圧縮シートパックを放置するように配置され、且つ切り取り線付きステッカー（９）により圧縮シートパックを内輪容器（７）の中に封止することを特徴とする請求項１に記載マジックシートパックの使用装置。
【考案の詳細な説明】
【技術分野】
【０００１】
本出願は、２０１６年１２月３０日に中国専利局へ提出された、出願番号がＣＮ２０１６２１４７７９５４．２であり、名称が「マジックシートパックの使用装置」である中国特許出願の優先権を主張し、本明細書に、その全ての内容を引用により取り込む。
【０００２】
本出願は、シートパックの使用装置の技術分野に関し、具体的には、マジックシートパックの使用装置に関する。
【背景技術】
【０００３】
既存の圧縮シートパックにおいて、シートパックと液体とは分離され、市販の圧縮シートパックは、別途に必要とする液体を購買しなければならず、両方を混合して、圧縮シートパックが液体を吸収して、膨張して使用できるものであるので、非常に不便である。本出願のマジックシートパックは乾湿に分離され、袋入りシートパックに防腐剤などの化学成分が基準を超える問題を有効に改善でき、乾湿に分離されるため、細菌繁殖の問題を解決した。そして、既存の袋入りシートパックに比べ、本製品の液体に防腐剤が少なく、ひいては含有しないこともでき、より安全で、便利であり、既存の圧縮シートパックにとって、別途に必要の液体を購買しなければならず、別の混合容器で二つを混合し、圧縮シートパックが液体を吸収して、膨張して使用できることなどの非常に不便な問題も解決した。本製品は、体積が小さくて、携帯に便利で、使い方が簡単になり、安全性もさらに優れて、美容シートパック市場にとっては新たな製品である。
【考案の概要】
【考案が解決しようとする課題】
【０００４】
本出願は、マジックシートパックの使用装置を提供し、上記の背景技術で提出された問題を解決する。
【課題を解決するための手段】
【０００５】
上記の目的を実現するために、本出願は、台座と環形液体収容リングとを含むマジックシートパックの使用装置であって、前記台座に、底部が頂部より小さい環形の内凹溝及び外凹溝がそれぞれ設けられ、前記内凹溝は、その周りがゴムにより薄く射出されてなり、上下に移動可能に設置され、前記外凹溝に係合口が内設され、前記環形液体収容リングの外壁の底部に、台座の外凹溝における係合口に完全に係合可能の係合部が設けられ、前記環形液体収容リングの内壁底部が台座における内凹溝に完全に係合され、両者の結合により、外輪容器及び内輪容器が形成されることを特徴とするマジックシートパックの使用装置を提供する。
【０００６】
前記外輪容器は、シートパックに必要な液体を放置するように配置されていることが好ましい。
【０００７】
前記内輪容器は、圧縮シートパックを放置するように配置され、且つ切り取り線付きステッカーにより圧縮シートパックを内輪容器の中に封止保管することが好ましい。
【考案の効果】
【０００８】
本出願のマジックシートパックの使用装置の技術効果と長所として、該当マジックシートパックの使用装置は、内凹溝の中に封止状態でシートパックが置かれており、内凹溝が上下に移動可能であるため、圧縮シートパックを押下げる際に、内シールが緩くなり、外輪容器内の液体がはみ出て圧縮シートパックに吸収されることである。
【図面の簡単な説明】
【０００９】
【図１】本出願のマジックシートパックの使用装置の構成模式図である。
【図２】他の角度から本出願のマジックシートパックの使用装置の環形液体収容リングを見た模式図である。
【考案を実施するための形態】
【００１０】
以下、本出願の実施例の図面を参照して、本出願の技術方案を明瞭且つ完全に説明する。説明する実施例は、本出願の一部の実施例に過ぎず、全ての実施例ではないと理解すべきである。当業者が本出願における実施例に基づいて創造的な労働をしなくて得られる全てのその他の実施例は、本出願の保護範囲に該当する。
【００１１】
本出願の説明において、理解すべきなことは、用語「長さ」、「幅」、「上」、「下」、「前」、「後」、「左」、「右」、「垂直」、「水平」、「頂」、「底」、「内」、「外」などが指示する方位または位置関係は、図面に示された方位または位置関係に基づくものであり、ただ本考案に対する説明の利便性と説明の簡略性のためのものであり、指す機器または素子が必ず特定の方位を有し、特定の方位で構成され、操作されるべきだと指示するか暗示するのではないため、本考案に対する限定と理解してはならない。
本出願において、別に明らかに説明することがない場合、用語「実装」、「接続」、「結合」、「固定」などが広義的に理解すべき、例えば、固定して接続してもいいし、着脱自由に接続してもいいし、一体として形成してもいい。又は、機械接続してもいいし、電気接続してもいい。或いは、直接に接続してもいいし、媒体を介して接続してもいい。二つの素子内部に連通してもいいし、二つの素子の相互関係でもいい。当業者にとっては、具体的な状況によって本出願における意味を理解できる。
【００１２】
本出願は、図１、２に示されように、台座１と環形液体収容リング２とを含むマジックシートパックの使用装置である。前記台座には、環形の内凹溝４及び外凹溝３とがそれぞれ設けられ、各凹溝の底部が頂部より小さい。内凹溝４は、周りがゴムにより薄く射出されてなり、上下に移動可能に配置されている。外凹溝３に係合口５が内設され、環形液体収容リング２の外壁の底部に、台座１の外凹溝３における係合口５に完全に係合可能の係合部６が設けられる。環形液体収容リング２の内壁の底部と台座１における内凹溝４とが完全に係合され、両者の結合により、封止効果を実現できる。結合により、シートパックに必要な液体を放置するための外輪容器８及び圧縮シートパックを放置するための内輪容器７が形成される。切り取り線付きステッカー９により圧縮シートパックを内輪容器７の中に封止し、内凹溝４内に封止状態でシートパックが置けられ、内凹溝４が上下に移動可能であるため、圧縮シートパックを押下げる際に、内シールが緩くなり、外輪容器８内の液体がはみ出て圧縮シートパックに吸収される。また、該当装置を用いることで、搬送期間に脱落することが防止できる。
【００１３】
最後、以上は本出願の好適な実施形態に過ぎず、本出願を制限するものではない、前記実施例を参照して本出願を詳細に説明したが、当業者は、前記実施例に記載の技術方案を修正又はその一部の技術特徴を置き換えることができ、本出願の主旨と原則の囲内で施されたいずれかの修正、同等的な置き換え、改善などは、いずれも本出願の保護範囲に含まれる。
【符号の説明】
【００１４】
１  台座
２  環形液体収容リング
３  外凹溝
４  内凹溝
５  係合口
６  係合部
７  外輪容器
９  切り取り線付きステッカー
【図１】
0003221104.tif 000003
【図２】
0003221104.tif 000004
【手続補正書】
【提出日】平成31年3月1日(2019.3.1)
【手続補正１】
【補正対象書類名】実用新案登録請求の範囲
【補正対象項目名】全文
【補正方法】変更
【補正の内容】
【実用新案登録請求の範囲】
【請求項１】
台座（１）と環形液体収容リング（２）とを含むマジックシートパックの使用装置であって、
前記台座（１）には、環形の内凹溝（４）及び外凹溝（３）がそれぞれ設けられ、各凹溝（４）、（３）の底部の幅は、各凹溝（４）、（３）の頂部の開口の幅より小さく、
前記内凹溝（４）は、その周りが薄いゴムにより形成され、前記台座（１）の上下方向に移動可能であり、
前記環形液体収容リング（２）は、前記台座（１）の内凹溝（４）に対応する環形の内壁と、前記台座（１）の外凹溝（３）に対応する環形の外壁とを有し、前記内壁は、前記環形液体収容リング（２）内に内輪容器（７）を形成し、前記内壁及び前記外壁は、前記環形液体収容リング（２）内に外輪容器（８）を形成し、
前記環形液体収容リング（２）の外壁の底部は、前記台座（１）の外凹溝（３）に完全に係合可能となっており、
前記環形液体収容リング（２）の内壁の底部が前記台座（１）の内凹溝（４）に完全に係合されることにより、前記外輪容器（８）及び前記内輪容器（７）が分離されることを特徴とするマジックシートパックの使用装置。
【請求項２】
前記外輪容器（８）には、圧縮シートパックに吸収される液体が収容されていることを特徴とする請求項１に記載のマジックシートパックの使用装置。
【請求項３】
前記内輪容器（７）には、圧縮シートパックが収容され、且つ切り取り線付きステッカー（９）により前記圧縮シートパックが前記内輪容器（７）の中に封止されることを特徴とする請求項１又は２に記載マジックシートパックの使用装置。